(57)【要約】【課題】太陽電池パネルのような部材を取り付けるための管体把持金具であって、管体に対する装着、ロック、取り外し作業が容易で、構造の簡易なものを提供する。【解決手段】ブラケット２は、ほぼ円弧状の凹部１０を前方へ開口９させる。顎部材３は、ブラケット２に枢支され、保持位置と解放位置との間で回転自在である。ストッパ４は、ブラケット２に枢支され、ロック位置と非ロック位置との間で回転自在で、ロック位置に回転付勢される。ストッパ４は、ロック位置において、顎部材３が保持位置から解放位置へ回転するのを阻止するが、顎部材３が解放位置から保持位置へ回転するのを許容し、かつ、非ロック位置において、顎部材３が保持位置から解放位置へ回転するのを許容する。付勢手段２０は、顎部材３の回転途上でデッドポイントを越えて顎部材３を選択的に、ロック位置又は非ロック位置に保持する。【選択図】図１
2011006937.tif 000002
【特許請求の範囲】
【請求項１】
管体へ支持対象物を取り付けるための管体把持金具であって、
後部において支持対象物に固定されると共に、管体を横断方向に受け入れるために管体の外周に沿うほぼ円弧状の凹部を前方へ開口させたブラケットと、
保持位置と解放位置との間で回転自在に前記ブラケットに枢支され、保持位置においてブラケットの凹部の開口を閉じて凹部との間に管体を抱持し、解放位置において凹部の開口を開いて管体を解放し、又は開口へ進入する管体を受け入れて保持位置へ回転可能な顎部材と、
ロック位置と非ロック位置との間で回転自在に中間部において前記ブラケットに枢支され、常時はロック位置に回転付勢され、一端側にロック部を有すると共に、他端側に回転操作部を有し、ロック位置において顎部材が保持位置から解放位置へ回転する経路上にロック部を配置して顎部材の回転を阻止するが、解放位置から保持位置へ回転する顎部材に押し上げられて顎部材の回転経路から待避することで顎部材の保持位置への通過を許容し、また非ロック位置において顎部材が保持位置から解放位置へ回転する経路の外にロック部を配置して顎部材の回転を許容するストッパと、
前記ブラケットと前記顎部材との間に介設され、顎部材の回転途上でデッドポイントを越えて顎部材をロック位置又は非ロック位置に選択的に保持するよう付勢する付勢手段とを具備することを特徴とする管体把持金具。
【請求項２】
前記顎部材は、保持位置において前記ブラケットの凹部と対向して内側に管体を抱持する凹状保持面と、
保持位置においてブラケットの開口に交差するように延びる第１の脚と、凹状保持面を囲んで第１の脚と反対方向に延びる第２の脚とを具備し、
この第２の脚は、保持位置においてロック位置にある前記ストッパのロック部に対して保持位置側の直近位置に対向配置される係合部を先端部に有し、この係合部がロック部に係合することにより顎部材の解放方向への回転を阻止し、係合部が解放位置から保持位置へ回転するときにロック部を押し上げて顎部材の保持位置への回転を可能とすることを特徴とする請求項１に記載の管体把持金具。
【請求項３】
前記顎部材の係合部は、顎部材が解放位置から保持位置へ回転する終端の付近で、ロック位置にある前記ストッパのロック部をその付勢力に抗して押し回して保持位置への通過を許容させるように配置されることを特徴とする請求項２に記載の管体把持金具。
【請求項４】
管体へ支持対象物を取り付けるための管体把持金具であって、後部において支持対象物に固定されるブラケットと、保持位置と解放位置との間で回転自在に前記ブラケットの下部に枢支される顎部材と、ロック位置と非ロック位置との間で回転自在に前記ブラケットの上部に顎部材と対向するように枢支され常時はロック位置に回転付勢されるストッパと、前記ブラケットと前記顎部材との間に介設され顎部材の回転途上でデッドポイントを越えて顎部材をロック位置又は非ロック位置に選択的に保持するよう付勢する付勢手段とを具備し、
前記ブラケットは、管体を横断方向に受け入れるために前方へ開口して管体の外周に沿うほぼ円弧状の凹部を具備し、
前記顎部材は、保持位置において前記ブラケットの凹部と対向して内側に管体を抱持する凹状保持面と、保持位置においてブラケットの凹部の開口を閉じる第１の脚と、凹状保持面を囲んで第１の脚と反対方向に延びる第２の脚とを具備し、
前記ストッパは、中間部において前記ブラケットに枢支され、一端側にロック部を有すると共に、他端側に回転操作部を有し、常時のロック位置において前記顎部材の第２の脚の先端部が保持位置から解放位置へ回転する経路上にロック部を配置して顎部の解放方向への回転を阻止するが、解放位置から保持位置へ回転する第２の脚の先端部に押し上げられて保持位置への通過を許容し、回転操作部が押し回された非ロック位置において顎部材の第２の脚が解放方向へ回転する経路の外にロック部を配置して顎部材の回転を許容するように構成されることを特徴とする管体把持金具。
【発明の詳細な説明】
【技術分野】
【０００１】
この発明は、例えば、工事現場の仮囲いを構成する鋼管に、太陽電池パネルを取り付ける際等に用いて有効な管体把持金具に関する。
【背景技術】
【０００２】
骨組みに取り付けられる工事用仮囲いのパネルに、鋼板一体型の太陽電池単位モジュールが接着された太陽電池による自立型発電システムが、特許文献１に開示されている。この文献には、パネルを骨組みに取り付けるための手段については具体的な記載がない。
一方、足場の骨組みに用いられる鋼管の組立、解体を速やかに行うことができる接続装置が各種提案されている。特許文献２には、管状部材に直角方向に取り付けることができる解放可能な錠止装置であって、管状部材を把持した状態では、錠止部材が自動的に錠止し、錠止部材を弧状に滑動させるように特定方向の力が加えられた時に錠止部材が解錠されるものが開示されている。これを図７に示す。管状部材４５を横断方向に収容するための鈎形をした半筒状あご部４３を有し、あご部４３は、その中に錠止部材４９を有する。錠止部材４９は、細長いスロット５３を有する。あご部４３に、それの軸線に平行に延びるようにピン５９が固定される。ピン５９は、錠止部材４９のスロット５３に挿通される。図７Ｂに示すように、ピン５９がスロット５３の一端にあるとき、錠止部材４９は解放位置にある。錠止部材４９は、この状態から、ピン５９を中心として反時計方向へ中間位置まで回転しうる。錠止部材４９は、中間位置からさらに、ピン５９に沿って図７Ａに示す錠止位置へ回転でき、錠止位置においてピン５９がスロット５３の他端に位置する。錠止部材４９は、凹状保持面５０と、錠止面５４とを有する。凹状保持面５０は、管状部材４５の円筒状面の一部と係合する。錠止面５４は、錠止部材４９が錠止位置にあるとき、あご部４３上の錠止面４６と係合することにより、錠止部材がピン５９を中心として回転するのを阻止する。錠止部材４９は、錠止位置にあって凹状保持面６０に管状部材４５が係合した状態にあるとき、あご部４３の開口に交差するように延出する脚５２を有する。脚５２により、開口の有効範囲は、管状部材４５の直径よりも実質的に小さく縮小される。錠止部４９材は、脚５２から実質的に反対の方向に延びる他の脚５１を有する。図７Ｂに示すように、錠止部材が解放位置にあるとき、脚５１は管状部材４５の挿入進路内に突出している。管状部材４５の挿入の最終段階において、脚５１は管状部材４５に押されて、錠止部材４９をピン５９を中心として反時計方向に、解放位置から中間位置へ回転させる。あご部４３と錠止部材４９との間には、ばね部材６０が設けられる。ばね部材６０は、錠止部材４９が回転されて中間位置にもたらされるまで圧縮され、その後、デッドポイントを越え、復元して錠止部材４９を錠止位置へ移動させる。ばね部材６０は、錠止部材４９が錠止位置へもたらされた後、これを錠止位置に弾性的に保持し、また錠止部材４９が解放位置へもたらされた後、これを解放位置に弾性的に保持する。
【先行技術文献】
【特許文献】
【０００３】
【特許文献１】特開２００７−３５９７６号公報
【特許文献２】特公昭４６−７３５２号公報
【発明の概要】
【発明が解決しようとする課題】
【０００４】
上記従来の錠止装置においては、錠止部材を錠止位置へ保持する力は、ばね部材の弾発力のみによるものであるから、ばね力を超える外力が錠止部材に加わると、管状部材を保持できなくなり、ロックの信頼性に欠ける嫌いがある。
したがって、この出願に係る発明は、工事用仮囲いを構成する単管のような鋼管に、太陽電池パネルのような部材を取り付けるための管体把持金具であって、管体に対する装着、ロック、取り外し作業が容易で、構造の簡易なものを提供することを目的としている。
【課題を解決するための手段】
【０００５】
以下、添付図面の符号を参照して説明するが、本発明はこれに限定されるものではない。
上記課題を解決するためのこの出願に係る発明の管体把持金具１は、ブラケット２と、顎部材３と、ストッパ４と、顎部材３を付勢する付勢手段２０とを具備する。太陽電池パネルのような支持対象物Ｌに固定されるブラケット２は、管体Ｐを横断方向に受け入れるために管体Ｐの外周に沿うほぼ円弧状の凹部１０を前方へ開口９させた構成である。顎部材３は、ブラケット２に枢支され、凹部１０の開口９を閉じてブラケット２との間に管体Ｐを抱持する保持位置と、凹部１０の開口９を開いて管体Ｐを解放する解放位置との間で回転自在である。ストッパ４は、一端側にロック部２７、他端側に回転操作部２８を有し、中間においてブラケット２に枢支され、ロック位置と非ロック位置との間で回転自在で、常時はロック位置に回転付勢される。ストッパ４は、ロック位置において、（１）顎部材３が保持位置から解放位置へ回転する経路上にロック部２７を配置して顎部材３の回転を阻止するが、（２）顎部材３が解放位置から保持位置へ回転するときに顎部材３に押されて回転経路外へいったん退避して保持位置への回転を許容し、（３）かつ、非ロック位置において、回転経路の外にロック部２７を配置して顎部材３が保持位置から解放位置へ回転するのを許容する。付勢手段２０は、ブラケット２と顎部材３との間に介設され、顎部材３の回転途上でデッドポイントを越えて顎部材３を選択的に、ロック位置又は非ロック位置に保持する。
【発明の効果】
【０００６】
この出願に係る発明の管体把持金具によれば、管体に対する装着、取り外し作業が容易で、装着時には自動的にロックして離脱を確実に防止でき、構造も簡易で比較的安価に提供できるという効果を有する。
【図面の簡単な説明】
【０００７】
【図１】本発明に係る管体把持金具の正面図である。
【図２】図１の管体把持金具の側面図である。
【図３】図１の管体把持金具の平面図である。
【図４】図１の管体把持金具の非ロック状態の正面図である。
【図５】図１の管体把持金具の開放状態の正面図である。
【図６】図１の管体把持金具の把持動作過程の正面図である。
【図７】従来の鋼管接続装置の正面図である。
【発明を実施するための形態】
【０００８】
図面を参照してこの発明の実施の形態を説明する。
管体把持金具１は、水平に配置された単管パイプのような管体Ｐへ太陽電池パネルのような支持対象物Ｌを取り付けるために、管体Ｐを把持する金具である。
【０００９】
管体把持金具１は、後部において支持対象物Ｌに固定されるブラケット２と、ブラケット２の下部に軸５で枢支される顎部材３と、ブラケット２の上部に顎部材３と対向するように軸６で枢支されるストッパ４とを具備する。
【００１０】
ブラケット２は、支持対象物Ｌに固定される背面板７と、背面板７の左右両縁から直角に前方へ延出する平行一対の支持板８とを具備する。支持板８は、管体Ｐを横断方向に受け入れるために前方へ開口９して管体Ｐの外周に沿うほぼ半円弧状の凹部１０と、この凹部１０の上方にあって、保持した管体Ｐの上方へ突き出る突出部１１とを具備する。
【００１１】
顎部材３は、図１に示す保持位置と図５に示す解放位置との間で軸５を中心にして回転自在である。顎部材３は、ブラケット２の一対の支持板８の内側に、これと平行に配置される平行一対の支持板１２を具備する。支持板１２は、凹状保持面１３と、これを囲むように相互に反対方向へ延びる第１及び第２の脚１４，１５を有するほぼＵ字状に湾曲した平板材である。凹状保持面１３は、保持位置において開口１６を上に向け、ブラケットの凹部１０と対向して内側に管体Ｐを抱持する。第１の脚１４は、保持位置において上向きに延び、ブラケット２の凹部１０の開口９に交差してこれを閉じ、解放位置において前方へ転倒し、開口９を開くように配置される。第２の脚１５の先端部には、ストッパ４と係合する係合部１６が設けられる。顎部材３は、前方へ転倒した解放位置において、凹状保持面１３の開口１７を前方斜め上へ向け、ここに管体Ｐを受け入れることができるように配置される。顎部材３の回転範囲は、ブラケット２の円弧状ガイド孔１８を通して支持板１２を貫通するガイド軸１９により規制される。
【００１２】
ブラケット２と顎部材３との間には、顎部材をロック位置又は非ロック位置に保持するよう付勢する付勢手段２０が介設される。付勢手段２０は、ばねガイド２１とこれに嵌め込まれたばね２２とを具備する。ばねガイド２１は、下端部に軸線方向の長孔２３を有し、これを貫通してブラケットの支持板８に支承された軸２４により、軸線方向移動自在に枢支される。上端の係合凹部２５が軸１９に回転自在に係合することによって、ばねガイド２１は顎部材３に枢支される。ばね２２は、ばねガイド２１を常時軸線方向上方に付勢することによって、顎部材３を回転付勢するが、顎部材３の回転途上でデッドポイントを越えて、それまでと反対方向へ顎部材３を回転付勢する。
【００１３】
ストッパ４は、一端側にロック部２７を有すると共に、他端側に回転操作部２８を有し、中間部に軸受部２９を有する。ストッパ４は、軸受部２９においてブラケット２の突出部１１の先端部間に軸６で枢支され、図１に示すロック位置と図４に示す非ロック位置との間で回転自在である。ロック部２７付近には、デテントボール３０が組み込まれ、これが、ブラケット２のデテント孔３１に落ち込むことにより、ストッパ４を非ロック位置に保持する。軸受部２９の前面側には当接面３２が設けられ、この当接面３２が、ブラケット２の突出部１１の先端に設けられた当接片３３に当接することにより、ストッパ４をロック位置に保持する。ストッパ４は、軸６に巻かれて回転操作部２８と当接片３３との間に介設されるばね２６により、常時ロック位置に回転付勢される。しかして、ストッパ４は、ロック位置において、顎部材３が保持位置から解放位置へ回転する経路上、すなわち係合部１６の移動経路上にロック部２７を配置して顎部材の回転を阻止するが、非ロック位置においては、係合部１６の移動経路の外にロック部２７を配置して顎部材３の回転を許容する。またストッパ４は、ロック位置において、顎部材３が解放位置から保持位置へ回転するときに係合部１６に押し上げられて、その移動経路からいったん退避し、保持位置への回転を許容する。
【００１４】
例えば、支持対象物Ｌを、水平に架設された管体Ｐに支持する場合、図５に示す開放状態（ストッパ４はロック位置にあり、顎部材３は解放位置にある。）で、支持対象物Ｌを支え持って把持金具１を管体Ｐに当てがい、顎部材３の凹状保持面２０を管体Ｐに嵌合させつつ、支持対象物Ｌを管体Ｐへ押しつける。顎部材３は、当初は、ばね２２を圧縮しながら、管体Ｐと共に保持位置へ回転（図５において反時計方向）し、その途上でデッドポイントを越えたばね２２に回転付勢され、図６に示すように、係合部１６がストッパ４のロック部２７に当接し、これを押し上げるようにストッパ４をばね力に抗して回転（図において時計方向）させ、保持位置に至る。ストッパ４は、係合部１６が通過した後、ロック位置に復元して図１のロック状態に至る。
【００１５】
この状態では、顎部材３がばね２２により保持位置に付勢されているが、解放方向（時計方向）へ回転する強い外力が加わった場合でも、係合部１６がストッパ４のロック部２７に当接することにより、顎部材３の回転が阻止され、保持位置に拘束されるから、支持対象物Ｌを確実に管体Ｐに固定することができる。
【００１６】
支持対象物Ｌを管体Ｐから取り外す場合には、図１の状態から、図４のように、ストッパ４の回転操作部２８を押し下げて、ストッパ４を非ロック位置（時計方向）へ回転させ、デテントボール３０をデテント孔３１に落とし込んで保持すると、ロック部２７が顎部材３の係合部１６の回転経路から外れる。この状態で、支持対象物Ｌを管体Ｐから引き剥がすように操作すると、顎部材３が解放位置（時計方向）へ回転し、図５に示すように、管体Ｐを解放するので、支持対象物Ｌを管体Ｐから取り外すことができる。この間に、ばね２２がデッドポイントを越え、顎部材３は解放位置に付勢される。
【符号の説明】
【００１７】
１    管体把持金具
２    ブラケット
３    顎部材
４    ストッパ
５    軸
６    軸
７    背面板
８    支持板
９    開口
１０  凹部
１１  突出部
１２  支持板
１３  凹状保持面
１４  第１の脚
１５  第１の脚
１６  係合部
１７  開口
１８  ガイド孔
１９  ガイド軸
２０  付勢手段
２１  ばねガイド
２２  ばね
２３  長孔
２４  軸
２５  係合凹部
２６  ばね
２７  ロック部
２８  回転操作部
２９  軸受部
３０  デテントボール
３１  デテント孔
３２  当接面
３３  当接片
Ｌ    支持対象物
Ｐ    管体
【図１】
2011006937.tif 000003
【図２】
2011006937.tif 000004
【図３】
2011006937.tif 000005
【図４】
2011006937.tif 000006
【図５】
2011006937.tif 000007
【図６】
2011006937.tif 000008
【図７】
2011006937.tif 000009